(57)【要約】      （修正有）【課題】使用する芯材のサイズを大きくせずとも、所望の断面性能を確保可能な、補強芯材及びその補強芯材を用いた地中構造物を提供する。【解決手段】親杭横矢板壁又はソイルセメント壁などの地中構造物に埋設する補強芯材であって、複数の剛性部材を一体化して構成したことを特徴とするものである。本補強芯材及びその補強芯材を用いた地中構造物は、敷地部分や既存構造物とのクリアランスがシビアであっても、所望の断面性能を発揮することができる。【選択図】図１
0003161394.tif 000002
【実用新案登録請求の範囲】
【請求項１】
親杭横矢板壁又はソイルセメント壁などの地中構造物に埋設する補強芯材であって、
複数の剛性部材を一体化して構成したことを特徴とする、補強芯材。
【請求項２】
前記剛性部材はＨ鋼であり、各Ｈ鋼のフランジ部を重ね合わせて連結してあることを特徴とする、請求項１に記載の補強芯材。
【請求項３】
前記各Ｈ鋼を、フランジ部の長手方向に沿って交互に重ね合わせて連結してあることを特徴とする、請求項２に記載の補強芯材。
【請求項４】
単数又は複数のエレメントからなる親杭横矢板壁又はソイルセメント壁などの地中構造物であって、
剛性部材を複数連結して一体化した補強芯材を、一つのエレメント内に配置してあることを特徴とする、地中構造物。
【考案の詳細な説明】
【技術分野】
【０００１】
本考案は、親杭横矢板壁又はソイルセメント壁などの地中構造物に埋設する補強芯材、及び補強芯材を用いた地中構造物に関するものである。
【背景技術】
【０００２】
地盤の開削前に構築する土留壁には、親杭横矢板壁やソイルセメント壁などの地中構造物が用いられている。
例えば、親杭横矢板壁の場合、親杭としてＨ鋼等を打設し、該Ｈ鋼等を横矢板を嵌め込むためのレール部分とし、ソイルセメント壁の場合、該ソイルセメント壁を構成する各ソイルセメント柱にＨ鋼等を埋設して芯材とすることが一般的である。
【考案の概要】
【考案が解決しようとする課題】
【０００３】
親杭横矢板壁の親杭、並びにソイルセメント壁に埋設される芯材のサイズは、所望する土圧や水圧などの各種圧力に対する抵抗力（以下、単に「抵抗力」という。）から設計される。
しかし、両方法とも、敷地境界線と新設構造物外郭線との距離が近い場合や、施工領域が取れない場合に、必要な断面性能を有する芯材を用いることができない場合があった。
【０００４】
上記課題を解決する方法として、必要な断面性能を有する新たな芯材を設計することも可能だが、開発費や材料費等によって施工費用が過大となる等の問題があった。
【０００５】
上記従来の問題点に鑑み、本考案は下記に示す事項のうち少なくとも何れか一つを目的とするものである。
（１）所望の断面性能及び抵抗力を設計可能な、補強芯材及びその補強芯材を用いた地中構造物を提供すること。
（２）施工費用が過大とならず、施工工期も長期化することのない、補強芯材及びその補強芯材を用いた地中構造物を提供すること。
【課題を解決するための手段】
【０００６】
上記の課題を解決すべく、本考案は、親杭横矢板壁又はソイルセメント壁などの地中構造物に埋設する補強芯材であって、複数の剛性部材を一体化して構成したことを特徴とするものである。
また、前記考案において、前記剛性部材はＨ鋼であり、各Ｈ鋼のフランジ部を重ね合わせて連結したことを特徴とするものである。
また、前記考案において、前記各Ｈ鋼を、フランジ部の長手方向に沿って交互に重ね合わせて連結したことを特徴とするものである。
【０００７】
また、本考案は、単数又は複数のエレメントからなる親杭横矢板壁又はソイルセメント壁などの地中構造物であって、剛性部材を複数連結して一体化した補強芯材を、一つのエレメント内に配置してあることを特徴とするものである。
【考案の効果】
【０００８】
本考案によれば、以下に示す効果のうち、少なくとも何れか一つを得ることができる。
（１）使用する芯材のサイズを大きくせずとも、所望の断面性能及び抵抗力を確保することができる。
（２）既存の芯材を流用できるため、施工費用が過大となることがない。
（３）敷地境界線と新設構造物外郭線とのクリアランスがシビアである場合であっても、原工法での施工が可能となる。
（４）硬質地盤等での施工において、先行削孔を行わずとも原工法の施工が可能となり、工期の延長を未然に防止することができる。
【図面の簡単な説明】
【０００９】
【図１】本考案の補強芯材の一実施例を示す概略斜視図。
【図２】本考案の補強芯材において夫々異なる連結具を用いた場合の各剛性部材の連結例を示す断面概略図。
【図３】本考案に係る補強芯材を設置した場合と、従来の芯材を設置した場合の比較図。
【図４】本考案の補強芯材を用いた親杭横矢板壁の概略平面図。
【図５】本考案の補強芯材のその他の配置例を示す概略平面図。
【考案を実施するための形態】
【００１０】
以下、図面を参照しながら本考案の実施の形態について説明する。
【実施例１】
【００１１】
＜１＞全体構成
図１は、本考案の補強芯材の一実施例を示す概略斜視図である。
本考案に係る補強芯材Ａは、該補強芯材Ａを埋設する部分の抵抗力を向上させるための部材であり、例えば、親杭横矢板壁における親杭や、ソイルセメント壁におけるソイルセメント柱、などの地中構造物の各種エレメント部分に埋設される部材である。
【００１２】
＜２＞補強芯材
補強芯材Ａは、複数の剛性部材を連結・一体化して構成するものである。
前記剛性部材には、Ｈ鋼、Ｉ鋼、Ｕ鋼その他の公知形状を呈する長手部材、或いはそれらを適宜組み合わせた構造体を用いることができる。
図１に係る実施例では、剛性部材として同型のＨ鋼を三本用いており、各Ｈ鋼を前後方向に位置を若干量ずらして配置することで、各Ｈ鋼のフランジ部分の一部が互いに重なり合うように構成する。
【００１３】
本実施例における各Ｈ鋼の配置形態について、より詳細に説明する。
三本のＨ鋼１１，１２，１３は、同じ向きを向いた状態であり、一方のＨ鋼が隣接する他方のＨ鋼に対して、前方向或いは後方向（ウェブ部の長手方向）に若干ずれて配置されている。ずらす長さはフランジ部の肉厚程度とすることにより、各フランジ部が互いに重なりあうように配置されることとなる。
【００１４】
より具体的に説明すると、図１に係る補強芯材Ａは、両端のＨ鋼１１，１３のフランジ部１１ｃ，１３ｃが、中央のＨ鋼１２のフランジ部１２ｃと重なるように配置されている。同様に、両端のＨ鋼１１，１３のフランジ部１１ｂ，１３ｂが、中央のＨ鋼１２のフランジ部１２ｂと重なるように配置されている。
【００１５】
なお、本考案は、鋼材１１のフランジ部１１ｃと、鋼材１２のウェブ部１２ａとが接するように配置するか否かを問うものではない。
また、鋼材１２と鋼材１３との関係においても同様である。
【００１６】
＜３＞剛性部材の連結例
次に、各剛性部材の連結例について説明する。
本考案の補強芯材Ａを構成する各剛性部材は、種々の連結具を用いて連結することができる。連結箇所は適宜設計することができる。
【００１７】
図２は、夫々異なる連結具を用いた場合の各剛性部材の連結例を示す断面概略図である。
例えば、図２（ａ）は、一端に配したＨ鋼１１のフランジ部１１ｂと、中央に配したＨ鋼１２のフランジ部１２ｃとの間、並びに、前記Ｈ鋼１２のフランジ部１２ｃと、他端に配したＨ鋼１３のフランジ部１３ｂとを、それぞれ個別の山形鋼２１で連結したものである。
【００１８】
また、図２（ｂ）は、図２（ａ）における山形鋼２１を、溝形鋼２２に置換したものである。
【００１９】
また、図２（ｃ）は、各鋼材１１の外面を、該外面に沿った連結板２３ａ、２３ｂで覆って連結したものである。
【００２０】
なお、本考案に係る各剛性部材は、溶接やボルト止めなどの周知の方法によっても連結することができる。
【００２１】
＜４＞機能・作用
図３は、本考案に係る補強芯材を設置した場合と、従来の芯材を設置した場合の比較図である。
親杭横矢板の親杭やソイルセメント壁のソイルセメント柱に相当するエレメントＣは、掘削等によって設けた開孔部に本考案の補強芯材Ａを埋設し、該補強芯材Ａの周囲に、原位置土、モルタル、セメントミルクなどの充填材Ｂが充填されることによって形成されている。なお、補強芯材Ａは、地盤を掘削せずに直接打設してもよく、本実施例に制限されるものではない。
【００２２】
本考案の補強芯材Ａによれば、単体のＨ鋼からなる既存芯材Ｆ（高さ＝Ｌ2）よりも小さいサイズのＨ鋼（高さ＝Ｌ1）を用いたものであっても、前記既存芯材Ｆを用いた場合と同等の断面性能を確保することができる。
【００２３】
したがって、本考案の補強芯材によれば、親杭横矢板壁などの施工において、敷地境界線と新設構造物外郭線とのクリアランスがシビアである場合であっても、所望の断面性能を発揮しつつ壁厚を低減させることができ、要求されるクリアランスを確保することが可能となる。
【００２４】
＜５＞使用例
図４は、本考案の補強芯材を用いた親杭横矢板壁の概略平面図である。
親杭横矢板壁Ｄは、間隔を空けて設けた二つの親杭部分Ｄ１と、前記親杭部分Ｄ１間に収納された横矢板Ｄ２によって構成される地中構造物である。
本例において用いる補強芯材Ａは、三本のＨ鋼を重ねて一体化したものであり、横矢板Ｄ２の側端を収納する左右の親杭部分Ｄ１（エレメントＣに相当）内にそれぞれ埋設されて横矢板Ｄ２を収納するためのレール部分を構成している。
【００２５】
このとき、補強部材Ａを構成する各Ｈ鋼の配置形態は、横矢板Ｄ２側のＨ鋼に対し、その他のＨ鋼が順に新設構造物領域側へとずれるように配置してあることが望ましい。当該構造により、敷地領域Ｅ１側から受ける土圧は、各Ｈ鋼の連結が解かれる方向へと働かないため、各Ｈ鋼を部分的な連結に留めておいたとしても、前記土圧によって補強部材Ａが分解することはない。また、土圧が各Ｈ鋼へと順に伝搬され、横矢板側のＨ鋼のみに土圧が集中することがなく、補強部材全体としての耐力を確実に発揮することができる。
図４における右側の親杭Ｄ１に基づいて説明すると、横矢板Ｄ２側のＨ鋼１１に対し、隣接するＨ鋼１２が新設構造物領域Ｅ３側にずれて連結された補強部材Ａが埋設されている。この場合、横矢板Ｄ２が受ける土圧に対し、前記Ｈ鋼１２も抵抗できるため、より有効な耐力を確保することができる。
【実施例２】
【００２６】
図５は、本考案の補強芯材のその他の配置例を示す概略平面図である。
以下、各図毎に配置形態を説明する。
【００２７】
［配置例１］
本実施例（図５（ａ））に係る補強芯材Ａは、二本のＨ鋼を用い、同じ向きを向いた状態で一方のＨ鋼を前後・左右方向にずらし、フランジ部の一部が重なり合うように配置・連結したものである。
【００２８】
［配置例２］
本実施例（図５（ｂ））に係る補強芯材Ａは、三本のＨ鋼を用い、中央に配するＨ鋼は、両端のＨ鋼から９０°回転して配置し、隣り合うＨ鋼のウェブ部同士が略直交するように配置・連結したものである。
【００２９】
［配置例３］
本実施例（図５（ｃ））に係る補強芯材Ａは、四本のＨ鋼を用い、いわゆる千鳥状に配置・連結したものである。
【００３０】
［配置例４］
本実施例（図５（ｄ））に係る補強芯材Ａは、二本のＨ鋼を用い、二つのウェブ部の長手方向が略一直線上に位置するように、該フランジ部同士を連結したものである。
【符号の説明】
【００３１】
１１，１２，１３：Ｈ鋼
２１：山形鋼
２２：溝形鋼
２３ａ，２３ｂ：連結板
Ａ  ：補強芯材
Ｂ  ：充填材
Ｃ  ：エレメント
Ｄ  ：親杭横矢板壁
Ｅ１：敷地領域
Ｅ２：施工領域
Ｅ３：新設構造物領域
Ｆ  ：既存芯材
【図１】
0003161394.tif 000003
【図２】
0003161394.tif 000004
【図３】
0003161394.tif 000005
【図４】
0003161394.tif 000006
【図５】
0003161394.tif 000007